(57)【特許請求の範囲】
【請求項１】
被写体を撮像する撮像手段を備えた撮像系と、
前記撮像手段の出力情報を分析する画像認識手段と、
被写体の撮像比率を設定する撮像モード設定手段と、
前記撮像モード手段により設定された情報に応じて決定される最適アスペクトに記録領域を設定する手段と、
前記画像認識手段により判別された被写体情報と設定された撮像モードに基づいて撮像系を制御する撮像制御手段とを備え、
前記最適アスペクトの記録領域内の画像情報を記録することを特徴とする撮像装置。
【請求項２】
前記画像認識手段により判別された被写体の記録領域に占める割合が前記撮像モード設定手段で設定された撮像比率となるように撮像系が制御されることを特徴とする請求項１に記載の撮像装置。
【発明の詳細な説明】
【０００１】
【発明の属する技術分野】
本発明は、撮像装置、更に詳細には、被写体を撮像する撮像手段の出力情報を分析して撮像を行なう撮像装置に関する。
【０００２】
【従来の技術】
従来、スチルカメラやビデオカメラのような撮像装置は、撮像領域を設定する場合、一般には撮像装置に設けられた小さなファインダー窓を備えたモニターを介して被写体の撮像領域を設定していた。
【０００３】
【発明が解決しようとする課題】
しかしこの種の撮像装置では、撮影者の視線がモニター等へ向き、被写体の方を向いていないので、被写体と視線を合わせる事ができない、という欠点がある。
【０００４】
また、撮影時にカメラ部を顔の近くに持ち上げる必要があり、カメラ撮影という動作を、撮影者と被撮影者の双方に意識させるものであり、自然な表情や動作を捉えるのには、若干のコツが必要であった。
【０００５】
一方、記録技術の進展により、画像情報の記録装置の小型化が著しいが、ファインダー部分の改良が伴なわず、相対的にファインダー部分だけが不釣り合いに大きくなり、操作性及びデザイン的に好ましくないという問題があった。
【０００６】
また、記録媒体の小型化、更に電子技術による省電力化が進展している一方で、大型カラー液晶表示部を備えたカメラ一体型ビデオカメラの人気の高まりに伴い、使いやすいファインダーシステムの追及の過程で装置全体の消費電力が増大してきた、という問題がある。
【０００７】
従って、本発明は、このような問題点を解決するもので、撮影操作の負担を軽減し、簡単な構成で被写体の撮影を可能にする撮像装置を提供することを課題とする。
【０００８】
【課題を解決するための手段】
本発明による撮像装置は、被写体を撮像する撮像手段を備えた撮像系と、前記撮像手段の出力情報を分析する画像認識手段と、認識された画像に基づき撮像系を制御する撮像制御手段とを備えたことを特徴とする。この場合、制御された撮像系で決定される撮像領域内の画像情報が記録される。
【００１１】
更に、本発明では、被写体の撮像比率を設定する撮像モード設定手段と、撮像モード手段により設定された情報に応じて決定される最適アスペクトに記録領域を設定する手段が設けられ、画像認識手段により判別された被写体情報と設定された撮像モードに基づいて撮像系が制御され、前記最適アスペクトの記録領域内の画像情報が記録される。この場合、画像認識手段により判別された被写体の記録領域に占める割合が前記撮像モード設定手段で設定された撮像比率となるように撮像系が制御される。
【００１２】
上記発明の具体例においては、撮像系の光軸の延長線とほぼ平行な視標光線を投光可能な投光手段が設けられ、この指標光線（ポインター）が、所望の被写体に投光され、この指標光線が被写体のほぼ中央に位置するように撮像装置の向きが調節される。この状態において撮像系に設けられた撮像手段からは、所望の被写体をほぼ中央にした画像信号が得られる。この画像信号が画像認識手段により分析されて、被写体の境界線が検出され、被写体領域が認識される。この認識された被写体領域と撮像領域の比率が予め定められた値あるいは撮影者が撮像モード設定手段にて設定した比率に一致するように撮像画角が制御される。撮像画角は、主に光学的なズーム手段で調節されるが、必要に応じて電子的なズーム手段も用いられる。撮像画角が所望の状態に設定されると、撮像信号中の記録領域の情報が記録される。この場合、記録領域を撮像モードに対応した最適アスペクト比率（縦横比）にすることもできる。
【００１３】
【発明の実施の形態】
以下、図面に示す実施の形態に基づいて本発明を詳細に説明する。
【００１４】
［全体構成］
図１には、本発明の１実施形態による撮像装置の基本構成がブロック図として図示されている。撮像装置は、撮像手段１１、撮像領域設定手段１２、ポインティング手段１３、画像解析手段１４、及び手動操作手段１５を有している。撮影者は、手動操作手段１５を操作して電源オンあるいはスタンバイの指示を装置に与える。この指示を受け、ポインティング手段１３は、撮像手段１１の光学系の光軸にほぼ平行な可視光線（指標光線）を被写体１０に向けて投光する。撮像手段１１は、この被写体１０の像を光電変換し撮像信号（映像信号）として出力する。画像解析手段１４は、この撮像信号に基づいて画像認識処理によって被写体像の領域検知を行ない、撮像領域設定手段１２は、画像解析手段から得られる被写体領域の情報及び手動操作手段で設定された撮像モード等の情報に基づいて撮像領域（及び記録領域）を決定する。
【００１５】
［各手段の詳細な構成］
図２〜図４は、各手段の更に詳細な構成を示す。操作キースイッチ検出手段２７はスイッチＳＷ１及びＳＷ２を有し、撮影者がスイッチＳＷ１をオンすると、これを操作キースイッチ検出手段２７が検出し、ポインティング手段１３を構成する指標発生器２４に発光指示を出力する。発光指示により指標発生器２４に設けられた半導体レーザー等の発光部材からの指標光線が投光用光学系２１を通して被写体１０へ投射される。これは、図３に図示されたように、指標発生器２４内の半導体レーザー２４ａが制御信号に応答してレーザードライバー２４ｂにより駆動されることにより行なわれ、半導体レーザー２４ａからの可視光が被写体１０に投光される。
【００１６】
この場合、この指標光が所望被写体１０のほぼ中央に照射されるように撮像装置の向きを手動調節する。なお、不図示であるが、モーター等の駆動手段を設け、この撮像装置の向きをサーボ機構により自動制御することも可能である。
【００１７】
指標光が投射された被写体像は、撮像用光学系２２を介して撮像素子（例えばＣＣＤ）２５上に結像される。撮像素子２５からの信号出力は、ビデオカメラ系信号処理回路２８にて撮像ないし映像信号として出力され、電子式ズーム手段３１に入力される。
【００１８】
なお記録が開始されると、前記可視光線によるポインター光が撮像されないように、発光を停止させる。
【００１９】
撮像系としては、一般的な各種特性調節機能を有しており、信号処理回路２８からの信号により光学系制御手段３５を介して種々の調節が行なわれる。例えば、その一つは、ビデオカメラ系信号処理回路２８の情報を用いた所謂ＴＶ−ＡＦ方式による自動焦点調節機能である。これは、図３に図示したように、ビデオカメラ系信号処理回路２８から信号に基づき光学系制御手段３５の自動焦点制御回路３５ａが駆動信号Ｃ３を介して撮像用光学系２２の焦点調節光学系２２ａの焦点調節を行なうものである。
【００２０】
また、同様の情報に基づいた所謂ビデオＡＥ方式による自動露出調節機能が行なわれる。これは、光学系制御手段３５の自動露光制御回路３５ｂが駆動信号Ｃ２を介して撮像光学系２２の入射光量調節部材（アイリス等）２２ｂの開口を制御して最適露光を行なうものである。
【００２１】
更に、後述するように、パターン認識処理手段３２（画像解析手段１４）による画像解析に基づきシステム制御回路３０Ｂからの指示により駆動される光学系制御手段３５の光学ズーム制御回路３５が、駆動信号Ｃ１を撮像光学系２２の変倍光学系２２ｃへ供給しズーム倍率調節（画角調節／焦点距離調節）を行なう。
【００２２】
また、ビデオカメラ系信号処理回路２８の出力は、電子式ズーム手段３１に入力され、そこで撮像領域の抽出、いわゆる電子的なトリミング処理を行ない記録領域を設定する。パターン認識処理手段３２は、電子式ズーム手段３１からのトリミング処理の行なわれた情報に基づいて被写体領域を検出し被写体領域の面積比率を算出し、撮影倍率を示す所定値あるいは撮像モードで決定される撮影倍率の設定値と比較し、所定の倍率になるようにシステム制御回路３０Ｂを介して光学系制御手段３５及び電子式ズーム手段３１を制御し、撮像領域及び記録領域を設定する。
【００２３】
図４には、パターン認識処理手段３２の詳細な構成が図示されている。パターン認識処理手段３２は、エッジ検出処理手段３２ａ、色領域検出処理手段３２ｂ、周波数判別（検出）処理手段３２ｃ、動き検出処理手段３２ｄ、パターン認識手段３２ｅ、及び比較手段３２ｆから構成される。
【００２４】
エッジ検出処理手段３２ａは、電子式ズーム手段３１からの信号に基づき水平及び垂直方向の微分係数等に依り画像領域の変化点を検出し、この変化点の連続性を判断することで被写体領域を判別する機能を有する。
【００２５】
色領域検出処理手段３２ｂは、電子式ズーム手段３１からの信号に基づき色彩情報を所定の範囲毎にグルーピングして各色の所属範囲の連続性を判断することで被写体領域を判別する機能を有する。
【００２６】
周波数判別処理手段３２ｃは、空間周波数の連続性を判断することで被写体領域を判別する機能を有する。具体例としては、カメラ撮影特有の性質として、被写界深度が浅い場合には自動合焦手段にて所望の被写体のみ高周波成分が増大している可能性が高いので、この特性を利用することで主被写体と背景との区別が可能となる。
【００２７】
動き検出処理手段３２ｄは、所望の被写体が他の人物や背景と動きのパターンが異なる可能性が高いことを利用することで、被写体領域を判別する機能を有する。実際の装置の構成にあたっては、近年ビデオカメラの手ぶれ補正装置等で用いられている画像の動き検出手段の領域分解能力が所定以上ある場合に兼用可能である。
【００２８】
パターン認識手段３２ｅは、これらの検出処理で前処理された情報を総合的に利用して被写体の領域を判別し、現在の撮像領域中の該被写体領域の占める割合（被写体面積比率）を計算する。比較手段３２ｆは、この値と、予め設定されている所定値あるいは撮影者により設定される撮影倍率できまる設定値とを比較する。その比較結果に従って光学系制御手段３５及び電子式ズーム手段３１が制御され、撮像系が撮影者により設定された撮影倍率に設定される。
【００２９】
このようにして撮影者により設定された撮影倍率に撮像系が調節され、かつ撮影者によりスイッチＳＷ２がオンされると、これが操作キースイッチ検出手段２７により検出され、図２に示すシステム制御回路３０Ａに伝達される。これを受けてシステム制御回路３０Ａは、画像圧縮手段３３において電子式ズーム手段から供給されるトリミング処理を施された撮像画像情報に情報圧縮処理を施し、この圧縮のかけられた画像情報を画像情報蓄積用メモリ３４に格納する。なお、この場合スイッチＳＷ２の操作に応じて必要に応じて最終的な画角調整が行なわれる。
【００３０】
画像圧縮手段３３で行なわれる画像情報圧縮処理には、サブサンプリング、非線形量子化等の従来からの方式に加え、いわゆるＪＰＥＧ等を始めとするＤＣＴを基本とした現在の主流となっている各方式やフラクタル符号化や知的符号化に分類される画像認識を用いた圧縮方式あるいはピラミッド符号化等の階層符号化が用いられる。演算処理装置の能力に余裕のある場合には、前記パターン認識処理と画像圧縮処理を同一の演算処理装置（マイクロプロセッサー）により行うことが好ましい。さらに、直行変換系の画像圧縮の場合には、前記トリミング処理と、画像圧縮処理を一連の演算処理手順の中で行うと、処理効率及び画質劣化防止の点でも好ましくなる。
【００３１】
蓄積用メモリ３４は、例えば、Ｓ−ＲＡＭ、Ｄ−ＲＡＭ、ＥＥＰＲＯＭあるいはフラッシュメモリ等の半導体メモリ、更に磁気テープあるいはハードディスク等の磁気記録媒体、あるいはＭＯ（光磁気ディスク）やＰＤ（相変化式ディスク）等の光磁気効果方式の記録媒体等で構成できる。
【００３２】
［動作シーケンス］
次に、このように構成された撮像装置の動作シーケンスを、図６に示すフローチャートを用いて説明する。
【００３３】
まず、メインルーチンとしてステップＳ１に示したように、トリミング手段を初期化し、光学系制御手段３５並びに電子式ズーム手段３１をワイド端に初期設定する。
【００３４】
続いて、ステップＳ２においてスイッチＳＷ１が押されたか否かが判断される。撮影者のスイッチＳＷ１のオン動作により、操作キースイッチ検出手段２７はスイッチＳＷ１の押下を検出し、ステップＳ３においてポインターをオンにする。この動作により撮像スタンバイの指示を受けて制御信号が発生し、これに応じて指標発生器２４内の半導体レーザー２４ａがレーザードライバー２４ｂより駆動され指標となる可視光線が発生される。この可視光線が投光用光学系２１を介して撮像用光学系２２と無限遠被写体時にほぼ光軸が平行に投光される。
【００３５】
指標光が投射された被写体像は、撮像焦点を調節するための焦点調節光学系２２ａ、アイリス等の入射光量調節用部材２２ｂ及び撮像倍率を制御する変倍光学系２２ｃからなる撮像用光学系２２を介して、例えばＣＣＤやＭＯＳデバイス等の撮像素子２５上へ結像される（図３）。撮像素子２５からの信号出力はビデオカメラ系信号処理回路２８にて処理され映像信号として出力される。
【００３６】
このとき同時にサブルーチンをコールし、サブルーチンで画角調節を行いながら所望の被写体（ターゲット）にポインターを照射する。
【００３７】
サブルーチンでは、ステップＳ１０において被写体の画面比率の所定値を読み込む。これは、図３のパターン認識処理手段３２の比較手段３２ｆに所定値を入力することに対応する。この所定値は、撮影倍率に対応する数値であり、撮像領域を白Ｐ（０）、被写体像の領域を黒Ｐ（１）で区分した時の、Ｐ（１）／｛Ｐ（０）＋Ｐ（１）｝の比率である。
【００３８】
続いて、ステップＳ１１でパターン認識処理手段３２を用いて以下のような処理で画像認識処理を行う。電子式ズーム手段３１によりトリミング処理された画像情報が、エッジ検出処理手段３２ａ、色領域検出処理手段３２ｂ、周波数判別処理手段３２ｃ、動き検出処理手段３２ｄの各種処理手段に供給され、上述したこれらの各機能により得られる情報を総合的に利用して次段のパターン認識手段３２ｅにおいて、被写体の領域が判別され、被写体領域内の画素数（Ｐ（１）に対応）が計数される。また、被写体を囲む所定の形状を規定し、これを記録領域として設定し、同様に記録領域内の画素数（Ｐ（０）に対応）が計数され、現在の撮像領域中の該被写体領域の占める割合を（１）／｛Ｐ（０）＋Ｐ（１）｝の比率で数値化して比較手段３２ｆへ供給する。
【００３９】
比較手段３２ｆは、このように数値化された値をステップＳ１０で読み込まれた所定値と比較し、補正制御信号を生成して両者が一致するように撮像画角を制御する。すなわち、比較結果に基づいてシステム制御回路３０Ｂからの指示により光学ズーム制御回路３５ｃが、変倍光学系２２ｃの像倍率を制御し、画角調節（いわゆるズーム倍率調節）を行なう（ステップＳ１２）。このとき、画角調節にともない焦点あるいは露光量に変化が生じている場合には、必要に応じて自動焦点制御回路３５ａ、自動露光制御回路３５ｂを介して焦点距離調節あるいは露光等の制御を行なう。
【００４０】
すなわち、自動焦点制御回路３５ａにより焦点調節光学系２２ａが調節され、撮像素子２５上に鮮明な像を結ぶように焦点調節が行なわれる。この自動焦点調節機能は、ビデオカメラ系信号処理回路２８の情報を用い、映像信号中の高周波成分が最大に成るように焦点調節光学系２２ａを制御する、所謂ＴＶ−ＡＦ等の方式により実現される。
【００４１】
更に、自動露光制御回路３５ｂは、ビデオカメラ系信号処理回路２８の情報を用い撮像素子２５上に撮像素子２５のダイナミックレンジの範囲内に収まる適切な光蓄積量を供給すべく、アイリス等の入射光量調節用部材２２ｂの透過光量特性を制御する。
【００４２】
続いて、ステップＳ１３において、光学系のテレ（望遠／拡大方向）又はワイド（広角／縮小方向）端の検出を行う。ステップＳ１４では、各端に達するまでは、前記補正処理を続行し、所望の画角に追い込む。光学端が検出されるか、あるいは所望の画角に一致した場合にはメインルーチンに戻る。
【００４３】
このように、所望の被写体の中央にポインターが照射され、所望の画角が得られた場合（ステップＳ４）、撮影者はスイッチＳＷ２を操作する。ステップＳ５でこのスイッチＳＷ２の押下が検出されると、再びサブルーチンをコールする。サブルーチンは、任意の時点で呼び出されるもので、このように再びサブルーチンをコールすることにより最終的な光学調整（画角調節）が確実になる。
【００４４】
ステップＳ６では、サブルーチンのステップＳ１３で光学端に達した場合と判断された場合に、電子式ズーム手段３１により画角の最終補正を行う。電子式ズーム手段３１による電子的トリミング処理は、拡大の中心座標と、拡大または縮小の方向（符号の正負＋／−）、及び拡大／縮小率をパラメーターとして制御する。この制御特性を図５に示す。この例では、光学ズームで１６倍の倍率のトリミングが可能、電子ズームで２倍のトリミングが可能で、総合で３２倍のトリミングを可能としている。ここで、設定した倍率の目標値に対し現在の倍率が低ければ拡大方向に修正し、逆に現在の倍率が高ければ縮小方向に修正するように制御する。
【００４５】
このようにトリミング処理は、光学系制御手段３５による光学的処理と電子式ズーム手段３１による電子的処理により行うが、初期設定は電子的処理によるトリミングは行わず、まず光学的処理を行い光学的ズーミングの限界に達した後に電子的トリミング処理を開始する。
【００４６】
このようにして、撮像画角が所望の状態に設定されると、ステップＳ７において、可視光線によるポインター光が撮像されないようにするためにポインターをオフにし、ステップＳ８において撮像信号中の記録領域の情報を記録する。このとき、システム制御回路３０Ａは、所望撮像画角に設定された電子式ズーム手段からの画像信号を画像圧縮回路で圧縮し、これを画像情報蓄積用メモリ３４に格納する。
【００４７】
このように撮像及び記録処理を行い、次の撮像が無ければ処理を終了し、あればステップＳ２へ戻り上記ステップＳ１〜８を繰り返す（ステップＳ９）。
【００４８】
［他の実施の形態］
上述した実施形態では、被写体の撮像比率を設定する撮像モードが固定されていたが、撮影者が撮像モードを選択できる例が図７と図８に図示されている。同図において、図２と図４と同一部分には同じ参照符号を付してあり、その説明は省略する。
【００４９】
撮像モード選択について、撮影者は、撮像モードの選択情報を図１の手動操作手段１５を介してモード設定手段４０へ入力する。その入力されたモード情報に対応した表示情報をアイコンパターン発生回路４１により生成する。一例として、最近パーソナルコンピューターにて多用されているグラフィカルなアイコンパターンを発生し、液晶ディスプレー等のアイコン表示手段４２によって表示する。このアイコンパターンの表示例として、図８のアイコン表示手段４２の枠内に、ｍｏｄｅ−Ａ、ｍｏｄｅ−Ｂ、ｍｏｄｅ−Ｃ、の大中小の３モードの撮影倍率の絵柄を示す。撮影者はこの絵表示により撮影倍率を選択する。ここで設定された撮影倍率が数値としてパターン認識処理手段３２の比較手段３２ｆに入力される。
【００５０】
このような構成において、撮影者はモード設定手段４０あるいはアイコン表示手段４２に示されるｍｏｄｅ−Ａ、ｍｏｄｅ−Ｂ、ｍｏｄｅ−Ｃ、の大中小の３モードの中から所望の撮影倍率を入力する。ここでは、最も撮影倍率の高いｍｏｄｅ−Ａを選択した場合について説明する。前記入力されたモード情報に対応した表示情報をパターン発生回路４１により生成しアイコン表示手段４２に表示すると同時に、設定された撮影倍率に対応する数値をパターン認識処理手段３２へ出力する。この倍率に対応した数値は、撮像領域を白Ｐ（０）、被写体像の領域を黒Ｐ（１）で区分した時のＰ（１）／｛Ｐ（０）＋Ｐ（１）｝の比率を数値化して各モードに対応する形で格納されており、この中の対応する数値が設定された撮像モードに応じてパターン認識処理手段３２の比較手段３２ｆに出力される。比較手段３２ｆは、最初の実施の形態で説明したのと同様に、光学系制御手段３５並びに電子式ズーム手段３１に制御信号を発生して被写体の撮像領域に占める割合が撮像モード設定手段で設定された撮像比率となるように撮像画角が光学的あるいは電子的に制御される。
【００５１】
図９には、アイコン表示の他の例が図示されており、各モード毎に、左から撮影状況のイメージ図、モード（ｍｏｄｅ）、アイコン、及びメモリに格納されている設定値が示されている。ｍｏｄｅ−Ａは、アップ・ショットで、画面内の７０％を主被写体が占め、ｍｏｄｅ−Ｂは、バスト・ショットで、画面内の４０％を主被写体が占め、また、ｍｏｄｅ−Ｃは、ロング・ショットで、画面内の２０％を主被写体が占めることが示されている。
【００５２】
なお、上記例では、アイコンを用いた数種類の撮像モードの選択による被写体の画面比率の設定方法について説明したが、これに限定されず、従来通りのズームレバー形式の操作部材を用いて、あらかじめ数値入力をしておくことで連続的な画面比率の設定が可能であることは勿論である。更に、このズームレバ−形式の操作部材を操作することに応じて、アイコンの大きさ／形態を連続的に変化させて、数値を用いずにグラフィカルな操作形態で、連続的な画面比率の設定を可能にすることができる。
【００５３】
以上説明した実施形態では、撮影者が被写体の撮影比率をあらかじめ選定しておくことができるので、ファインダーを覗きながら調節する必要がなく、操作性が顕著に改善される。
【００５４】
［更に他の実施の形態］
また、上述した各実施形態では、被写体の形状に関係なく、撮像領域の形状は常に一定であったが、記録領域のアスペクト（縦横）比率を最適化することもできる。これは、図１０に示したように、各モードごとにアスペクト比率を設定しておく。すなわち、ｍｏｄｅ−Ａは、アップ・ショットで、画面内の７０％を主被写体が占め、縦横比は１：１とする。また、ｍｏｄｅ−Ｂは、バスト・ショットで、画面内の４０％を主被写体が占め、縦横比は４：３、ｍｏｄｅ−Ｃは、ロング・ショットで、画面内の２０％を主被写体が占め、縦横比は９：１６とする。
【００５５】
ｍｏｄｅ−Ａは、アップのためのモードで、アイコンは人頭を示し画素比率は７０％として登録してある。この結果図１０の左上図のようなシーンを撮影者が確認してスイッチを押し込んでＳＷ２をオンさせると、パターン認識処理手段３２の画像認識処理により必要最小限の四角形を選定し、画面の縦横のアスペクト比率が１対１の正方形の撮像記録領域が決定され、システム制御回路３０Ａを介してこの領域に対応した画像データが蓄積用メモリ３４に記録される。
【００５６】
ｍｏｄｅ−Ｂは、バストショットのためのモードで、アイコンは人の上半身を示し画素比率は４０％として登録してある。この結果左中図のようなシーンを撮影者が確認してスイッチを押し込んでＳＷ２をオンさせると、同様に、画像認識処理により必要最小限の四角形を選定し、画面の縦横のアスペクト比率が４対３の現行テレビ方式を縦位置にした撮像記録領域が決定され、この領域に対応した画像データがメモリ３４に記録される。
【００５７】
一方、ｍｏｄｅ−Ｃは、風景撮影のためのモードで、アイコンは山の遠景を示し画素比率は２０％として登録してあり、この結果左下図のようなシーンを撮影者が確認してスイッチを押し込んでＳＷ２をオンさせると、画像認識処理により必要最小限の四角形を選定し、画面の縦横のアスペクト比率が９対１６のハイビジョンテレビ方式と同等の撮像記録領域が決定される。この領域に対応した画像データが同様にメモリ３４に記録される。
【００５８】
このように、アイコンはいずれのモードも正方形であるが、撮像記録領域は各々記録シーンに応じて最適なアスペクト比率が選定される。この場合、最適のアスペクト比率で設定された撮像記録領域で被写体が占める面積割合が上述した各設定値になるように制御されることになる。
【００５９】
なお、アスペクト比率は、上記例に限定されず、例えば、ｍｏｄｅ−Ｂを選択した場合で、被写体が一人の場合は、図１０の中央に示すように縦位置の４：３の領域を設定するが、被写体が二人の場合は、横位置の３：４の領域を設定し、被写体が三人の場合は、１：２の領域を設定するようにすることもできる。
【００６０】
［適用例］
図１１には、上述した撮像装置を例えばスチルカメラあるいはビデオカメラに適用した例の外観図が図示されている。カメラの前面には投光部材５１（ポインティング手段１３）と撮像レンズ５２（撮像手段１１）が配置され、また撮像装置の上部には、撮像タイミングを指示するためのシャッター（トリガー）スイッチ５７（スイッチＳＷ１、ＳＷ２）が配置される。このスイッチが作動されると、撮像光学系の光軸にほぼ平行に投光部材５１から照射光５３が被写体１０に向けて投光される。また、被写体からの像光線５４が撮像レンズ５２に入射し、撮像が可能になる。なお、符号５８は、撮像比率を設定するとき撮像比率をアイコン表示したときに設けられるアイコン表示部（アイコン表示手段４２）である。
【００６１】
【発明の効果】
このように、本発明では、被写体の撮影比率を設定あるいはあらかじめ選定しておくようにすれば、ファインダーを覗きながらの画角調節が不必要になり、撮像時の操作性が顕著に向上する。また、この場合最適のアスペクト比率に設定することもできる。
【００６２】
更に、本発明では、ファインダー部分が改良され、近年小型化が著しい画像情報記録装置の小型化に対応して、ファインダー部分を省電力化してデザイン的に釣り合った形状にでき、総合的に装置全体の小型化に貢献できる。
【図面の簡単な説明】
【図１】本発明に係わる撮像装置の１実施形態の主要構成を示すブロック図である。
【図２】図１の更に詳細な構成を示すブロック図である。
【図３】図１のカメラ部の構成の詳細を示すブロック図である。
【図４】図１の被写体認識部の構成の詳細を示すブロック図である。
【図５】撮像系の画角制御の特性を示す説明図である。
【図６】撮像動作の流れを示すフローチャートである。
【図７】本発明の他の実施形態の全体構成を示すブロック図である。
【図８】図７の実施形態において撮像モードの設定を説明するブロック図である。
【図９】各撮像モードの設定及び設定値を示す説明図である。
【図１０】記録領域のアスペクト比率を変化させる状態を説明した説明図である。
【図１１】本発明に係わる撮像装置をカメラに適用した例を示す斜視図である。
【符号の説明】
１０  被写体
２１  投光用光学系
２２  撮像用光学系
２４  指標発生器
２５  撮像素子
２７  操作キースイッチ検出手段
２８  ビデオカメラ系信号処理回路
３１  電子式ズーム手段
３２  パターン認識処理手段
３３  画像圧縮手段
３４  蓄積用メモリ
３５  光学系制御手段
【図１】
0003647168.tif 000002
【図２】
0003647168.tif 000003
【図３】
0003647168.tif 000004
【図４】
0003647168.tif 000005
【図５】
0003647168.tif 000006
【図６】
0003647168.tif 000007
【図７】
0003647168.tif 000008
【図８】
0003647168.tif 000009
【図９】
0003647168.tif 000010
【図１０】
0003647168.tif 000011
【図１１】
0003647168.tif 000012